(57)【特許請求の範囲】
【請求項１】
軌条上を移動する複数のパレット台車が隣接して構成される無端連続搬送台車の下面が、大気圧と大気圧以外の場所を区画する部分を摺動しながら通過する箇所で、空気又はガスの流れを遮断するシール装置であって、
前記無端連続搬送台車の下面に対して表面を常時押し付けるべく構成されたベースプレートを１枚の膜板状に形成して前記表面に耐摩耗性ライナーを取り付けると共に、このベースプレートの裏面の、前記台車の幅方向両側に第２の垂直板材を、進行方向先端側又は後端側に第１の垂直板材を、それぞれ垂下固定し、
これら垂直板材のうちの前記第１の垂直板材は、前記台車の進行方向と直角の鉛直方向でウインドボックス端部側に垂下固定し、ウインドボックス側から前記第１の垂直板材を支持する受け部材を、ウインドボックスを支持するウインドボックス受け梁に設置し、
前記第１の垂直板材のウインドボックスと反対の側からウインドボックス受け梁の前記第１の垂直板材側に設置された固定板面に至る間、及び前記台車の幅方向両側に垂下固定した第２の垂直板材の内側から前記台車の進行方向両側下方に位置するウエアーバーサポートの側面に至る間に、表面の大気圧側に粘性のあるペースト状の物質を塗りこんだ布状部材を張り設けたことを特徴とする焼結機ウインドボックスのシール装置。
【請求項２】
前記ウエアーバーサポートの、前記台車の進行方向と平行な内側面には、上端面が凹凸の固定ライナーを取り付けると共に、前記ベースプレートの裏面の、前記第２の垂直板材の外側には、前記固定ライナーの上端面の凹凸に嵌合する凹凸の下端面を有する可動ライナーを取り付けることを特徴とする、請求項１に記載の焼結機ウインドボックスのシール装置。
【請求項３】
前記可動ライナー及び前記固定ライナーを耐摩耗性材料で形成し、これら可動ライナー及び固定ライナーの間にグリスを供給するためのグリス供給口をウエアーバーサポートに設けたことを特徴とする請求項２に記載の焼結機ウインドボックスのシール装置。
【請求項４】
前記布状部材は、全ての垂直板材を１枚で覆う一体物であることを特徴とする請求項１〜３の何れかに記載の焼結機ウインドボックスのシール装置。
【発明の詳細な説明】
【技術分野】
【０００１】
本発明は、例えば高炉原料となる焼結鉱を製造する焼結機のウインドボックス、高温焼結鉱を冷却する冷却機、及びこれらと同様に、軌条上を移動するパレット台車状の無端連続搬送台車の下面が大気圧と大気圧以下の場所を区切る部分を摺動しながら通過する場所で、空気又はガスの流れの遮断が必要な設備におけるシール装置に関するものである。
【背景技術】
【０００２】
複数台のパレット台車が隣接しながら軌条上を無端連続的に走行し、パレット下方に配置されたウインドボックスにより、大気圧以下の負圧を形成し、パレット台車上に積載した鉄鉱石を連続的に焼成する焼結機において、負圧を形成するウインドボックス群の端部と大気圧側の領域を遮断し、焼成或いは冷却に無効な空気がウインドボックスへ流入しないようにシールすることは、焼成又は冷却に必要な空気を排気する排風機の電力を削減するために重要である。
【０００３】
例えば特許文献１では、焼結機の負圧のウインドボックス群へパレット台車が大気圧側から進入する給鉱側及び焼成後負圧のウインドボックス群から大気圧側に出る排鉱側のシール装置が提案されている。このシール装置は、パレット台車の下面と摺動すべくベースプレート上に配置したライナーを、重錘を用いた押し上げ機構でパレット台車の下面のパレット幅方向歪に追従して下方から接触させて漏風を防止する構造である。
【０００４】
特許文献１で提案されたシール装置は、ベースプレートのパレット台車下面の、無端連続的な進行方向に直交する台車幅方向の歪に追従すべく、重錘を用いた押し上げ機構で台車幅方向への撓みを発現しようとしていた。しかしながら、機械的空間の制約から押し上げられる力の作用点が部分的となる前記押し上げ機構では、均一な面圧で押し上げることが出来なかったので、パレット下面との隙間が部分的に生じたりして、十分に漏風を防止することができなかった。
【０００５】
また、伸縮継手を用いて圧力隔壁を形成しているものの、伸縮継手の凹凸部分とウエアーバーサポートの間に空間ができるので、この空間に断熱材を充填している。しかしながら、この断熱材の上端はウエアーバーサポートの上端と同一高さであるので、小さな空間が形成されることを避けられなかった。この小さな空間が形成される場所は、常に大気圧側から負圧のウインドボックス側へ高速で空気が流れ込んでいる場所であり、付近の焼結ダストを同伴して流入するため、前記断熱材の上端に現れている小さな面の摩耗、損耗が激しくなる。従って、前記小さな空間が次第に大きくなり、ついには断熱材が全て無くなってしまい、次に伸縮継手そのものが摩耗により破損していくという問題があった。
【０００６】
また、特許文献２では、パレット台車の変形に追従できるよう、デットプレート面に可撓性を持たせる構造が提案されている。この特許文献２で提案されたものは、デットプレート面の下部周囲が伸縮材で支持されており、圧力流体供給手段から圧力流体を供給して封入することで焼結パレットの下面に追従させる方式である。
【０００７】
しかしながら、圧力流体を封入する空間が密閉されており、接触面の周囲は伸縮ができるもののその伸縮材で拘束されているため、摺動面の中央が最も膨らみ中央のみが接触しやすくなっていて、焼結パレットの幅方向端部付近は中央部ほど密着しないので、その箇所で漏風が発生するという問題があった。さらにパレット幅方向端部のウエアーバーサポートとのシール方法が明記されておらず、伸縮材の摩耗に対する説明がなく、容易に摩耗し破れることが予測される。また、仮に高温の焼結鉱の粉が落下して伸縮材に接触したり、高速で伸縮材の表面を流れると、直ぐに伸縮材が摩耗して破れたりするという問題があった。仮に伸縮材が破れると一気に摺動面が下がって焼結パレット下面との隙間が大きくなり、焼結操業が出来なくなるほどの危険性を包含している。
【０００８】
また、特許文献３，４では、焼結パレット幅方向に複数枚に分割された摺動材を、板ばねを用いて支持し、パレット進行方向に複数列配置して、焼結パレット下面に押し付ける構造のシール装置が提案されている。
【０００９】
しかしながら、この方式は、板ばね両端部とウエアーバーサポートとの接触面に隙間があるか、摺動できる構造になっているので、漏風を防ぐことができず、流入する空気が同伴する焼結鉱ダストによって短期間に摩耗してしまうという問題がある。
【００１０】
また、焼結パレット下面に押し付ける摺動材を、その弾力性を確保するため薄い板ばねで支持しているため、少しの漏風で直ぐに摩耗して孔があいてしまう問題があった。さらに、板ばねを焼結パレットの進行方向に複数列配置しているので、その下方にはダスト排出用のホッパーが必要になり、ダスト排出の制御や排出装置の維持が問題になる場合がある。ホッパーを設置しない場合は、ダストが堆積して板ばねによる弾力性能が固定され、焼結パレット下面との間に固定された隙間が生じることになって、漏風が防げないという問題がある。
【００１１】
また、特許文献５では、焼結パレットの幅方向に複数枚に分割された摺動材を、コイルばねを用いて支持することで、焼結パレットの下面に前記摺動材を押し付けながら漏風空気を遮断するシール装置が提案されている。
【００１２】
しかしながら、特許文献５で提案された構造は、摺動材を焼結パレットの幅方向に複数枚に分割しているために摺動材間に隙間が存在し、漏風を完全に防止することができないという問題がある。
【００１３】
また、特許文献６では、焼結パレットの下面に回転接触するローラ方式のシール装置が提案されているが、回転するローラの端面と固定側のウエアーバーサポートの内面との間にはローラを回転させるために隙間が必要である。従って、この隙間から漏風が発生し、摩耗が発生するという問題があり、長期的に使用することができない。また、ローラは焼結パレットの幅方向の歪には追従できず、漏風を防ぐことが出来ない。
【００１４】
また、特許文献７では、デッドプレートシール装置の焼結パレット下面と摺動する面を板ばねで支持する構造が提案されている。しかしながら、幅方向の両端側のウエアーバーサポートと板ばねの間には、板ばねが摺動するための隙間が必要になるために漏風が発生し、そのため摩耗が発生するという問題がある。
【００１５】
また、特許文献８，９で提案されたシール構造は、いずれも焼結パレットの幅方向に複数枚に分割された摺動面でシール面を構成しているため、分割部からの漏風を防ぐことができないという問題がある。
【００１６】
すなわち、前記従来技術では、パレット台車の幅方向の歪に追従して上下してパレット下面と摺動する面を構成し、その上下動作の機能を維持しながら漏風を防止する機能と、長期間性能を維持する機能を両立することが困難であった。特に、パレット台車の進行方向に対して直角方向のウインドボックス鉛直端面と、進行方向と平行な方向のウエアーバーサポート内面と接するパレット幅方向両端側デッドプレートの鉛直面の３面を同時にシールし、かつ、上下動作も可能なシール装置が完成されていなかった。
【先行技術文献】
【特許文献】
【００１７】
【特許文献１】特開平９‐６８３８９号公報
【特許文献２】実開昭５９−１４０００号公報
【特許文献３】実開昭５９−７６９９２号公報
【特許文献４】実開平１−１４４７９８号公報
【特許文献５】実公昭６２−１９９１０号公報
【特許文献６】特開昭６０−２０００８４号公報
【特許文献７】特開平１１−２８１２６１号公報
【特許文献８】実公昭５８−１８６４０号公報
【特許文献９】実公昭５９−３０３９５号公報
【発明の概要】
【発明が解決しようとする課題】
【００１８】
本発明が解決しようとする問題点は、従来のシール装置の場合、何れのシール装置も漏風を防止する機能と、長期間性能を維持する機能を両立することが困難であるという点である。
【課題を解決するための手段】
【００１９】
本発明の焼結機ウインドボックスのシール装置は、
漏風を可能な限り長期間防止できるようにするために、
軌条上を移動する複数のパレット台車が隣接して構成される無端連続搬送台車の下面が、大気圧と大気圧以外の場所を区画する部分を摺動しながら通過する箇所で、空気又はガスの流れを遮断するシール装置であって、
前記無端連続搬送台車の下面に対して表面を常時押し付けるべく構成されたベースプレートを１枚の膜板状に形成して前記表面に耐摩耗性ライナーを取り付けると共に、このベースプレートの裏面の、前記台車の幅方向両側に第２の垂直板材を、進行方向先端側又は後端側に第１の垂直板材を、それぞれ垂下固定し、
これら垂直板材のうちの前記台車の進行方向先端側又は後端側に垂下固定した第１の垂直板材をウインドボックス側から支持する受け部材を、ウインドボックスを支持するウインドボックス受け梁に設置する一方、
前記台車の進行方向両側下方に位置するウエアーバーサポートの、前記台車の進行方向と平行な内側面には、上端面が凹凸の固定ライナーを取り付けると共に、前記ベースプレートの裏面の、前記台車の幅方向両側に垂下固定した第２の垂直板材の外側には、前記固定ライナーの上端面の凹凸に嵌合する凹凸の下端面を有する可動ライナーを取り付け、
さらに、前記第１の垂直板材のウインドボックスと反対の側からウインドボックス受け梁の前記第１の垂直板材側に設置された固定板面に至る間、及び前記第２の垂直板材の内側から前記両ライナーを経て前記ウエアーバーサポートの側面に至る間に、表面の大気圧側に粘性のあるペースト状の物質を塗りこんだ布状部材を張り設けたことを最も主要な特徴としている。
【００２０】
本発明の焼結機ウインドボックスのシール装置では、ベースプレートの裏面の、台車の幅方向両側と進行方向先端側又は後端側にそれぞれ垂直板材を垂下固定し、これら垂直板材の内側からウインドボックスの受け梁に設置された固定板面に至る間、及びウエアーバーサポートの側面に至る間に、大気圧側に粘性のあるペースト状の物質を塗りこんだ布状部材を張り設けたので、シール機構の下面から構造的に漏れる漏風がない。
【発明の効果】
【００２１】
本発明によれば、シール機構の下面から構造的に漏れる漏風が無くなる。仮に布状部材が破れて漏風が発生した場合は、発生する騒音によって容易に発見できるため、補修も早期に簡単に、しかも運転中に対応できる。これにより、焼結に不必要な漏風が少なくなり、省電力が図れる。
【図面の簡単な説明】
【００２２】
【図１】本発明のシール装置の焼結機への設置位置を説明する斜視図である。
【図２】給鉱側に設置した本発明のシール装置の全体斜視図である。
【図３】（a）は本発明のシール装置の分解斜視図、（ｂ）は動作説明図である。
【図４】（a）は第２の垂直板材を取り付けただけの場合の台車幅方向に発生する隙間を説明する図、（ｂ）は本発明のシール装置の台車幅方向を示す斜視図である。
【図５】（a）は本発明のシール装置の台車幅方向の要部拡大図、（ｂ）はライナーの説明図である。
【図６】本発明のシール装置の台車進行方向の要部拡大図である。
【発明を実施するための形態】
【００２３】
本発明では、漏風を長期間に亘って可能な限り防止するという目的を、ベースプレートの裏面の、台車の幅方向両側と進行方向先端側又は後端側にそれぞれ垂下固定した垂直板材の内側から、ウインドボックスの受け梁に設置された固定板及びウエアーバーサポートの側面に至る間に、大気圧側に粘性を有するペースト状の物質を塗りこんだ布状部材を張り設けることで実現した。
【実施例】
【００２４】
以下、本発明を焼結機のウインドボックスのシール装置に適用した場合の実施例を図１〜図６を用いて説明する。
【００２５】
本発明のシール装置１は、例えば図１に示すように、焼結機の給鉱端及び排鉱端に設置して、給鉱側から排鉱側に移動するパレット台車２の下面から空気が漏れないようにするものである。なお、図１中の３はウインドボックス、９は点火炉を示す。
【００２６】
前記空気が漏れないようにするためのポイントは、パレット台車２の下面と摺動するシール装置１の面を構成するベースプレート１１の下部の構造を改善して、漏風が殆ど発生しないようにシール性を高めることである。
【００２７】
そのために、本発明では、パレット台車２の進行方向に対して直角方向のウインドボックス３の端面となるウインドボックス受け梁４に設置された固定板８と上下動作可能なベースプレート１１の裏面側に接続されている第１の垂直板材１３ａのシール（図６参照）、及びパレット台車２の幅方向両側のウエアーバーサポート７の内面とベースプレート１１の裏面側に接続されている第２の垂直板材１３ｂのシール（図５参照）を同時に一体的に行いながら、かつ、図３（ｂ）に想像線で示したパレット台車２の幅方向の歪にも追従できるように、以下のような構成を採用している。
【００２８】
１１はパレット台車２の下面に対して表面を常時押し付けるべく構成されたベースプレートである。本発明では、このベースプレート１１を、パレット台車２の幅方向に撓むことができるように十分に薄い（概ね９mm程度）１枚の板で構成している（図３参照）。そして、その表面には耐摩耗性ライナー１２を取り付けると共に、裏面の、パレット台車２の幅方向両側と進行方向先端側に、それぞれ垂直板材１３ａ，１３ｂを垂下固定している。なお、耐摩耗性ライナー１２は、ベースプレート１１がパレット台車２の幅方向に撓みやすくするために、パレット台車２の幅方向に複数枚に分割して取り付けることが望ましい。
【００２９】
前記耐摩耗性ライナー１２を取り付けたベースプレート１１の表面をパレット台車２の下面に対して常時押し付ける構成は特に限定されないが、図６に示したような構成が採用される。例えば図６では、ベースプレート１１の裏面側におけるパレット台車２の進行方向前後２箇所にベルクランク１４ａを上下揺動自在に設置し、このベルクランク１４ａの一方端部に重錘１４ｂを取り付けることで、他方端部に回転自在に取り付けたローラ１４ｃでベースプレート１１を押し上げている。なお、図６に白抜き矢印で示したパレット台車２の進行方向は、焼結機給鉱側（図１の紙面右側）のウインドボックスのシール装置におけるものを示しており、排鉱側（図１の紙面左側）では図６の白抜き矢印の反対方向がパレット台車の進行方向となる。
【００３０】
１５はウインドボックス３を支持するウインドボックス受け梁４に設置した受け部材であり、前記垂直板材１３ａ，１３ｂのうちのパレット台車２の進行方向に対して直角方向のウインドボックス３の端面側に垂下固定した第１の垂直板材１３ａをウインドボックス３側から支持している。この受け部材１５により、負圧により第１の垂直板材１３ａ及びそれと一体となっているベースプレート１１、 第２の垂直板材１３ｂがウインドボックス３へ引き込まれることを防止できる。図面では、上下に可動する前記第１の垂直板材１３ａを、回転自在なローラ１５ａで支持するものを示している。
【００３１】
上記構造の押し付け機構の場合、ばね材を用いて押し付ける場合のように、排鉱部の高温によってばね材の材質が変化して弾性がなくなるという問題がない。また、ベースプレート１１を、十分に薄い１枚の板で構成していてパレット台車下面の撓みに十分追従できる剛性を持ち、かつ、摺動面の周囲を伸縮材などで拘束していないことと、摺動面下部の３面に垂下したシール板（ウインドボックス側の第１の垂直板材１３ａとウエアーバーサポート側の第２の垂直板材１３ｂ）とその内側に具備した後述するシール用の布状部材１８ａ，１８ｂが強固に漏風を防止するので、ウインドボックス内の負圧が摺動面の大気圧側（下部、裏面）に均一にかかり、重錘１４ｂによる押し上げ点が限定されても、ベースプレート１１の面全体をパレット台車２の下面に均一に押し当てることができる。
【００３２】
しかしながら、パレット台車２の幅方向両側に垂下固定した第２の垂直板材１３ｂとパレット台車２の幅方向両側面（大気圧）とウインドボックス３（負圧）の間を遮断するパレット側シールバー５及びウエアーバー６、ウエアーバーサポート７で形成される面の間は、パレット台車２の幅方向両側面に並行して存在し、かつ、ベースプレート１１と垂直板材１３ａ，１３ｂが上下に可動するために必ず隙間ｄ1が必要である（図４（ａ）参照）。
【００３３】
そして、この隙間ｄ1を通過する漏風空気は付近の焼結ダストを同伴しているので、漏風空気が通過する箇所の摩耗が激しくなる。そのため、発明者らは前記隙間ｄ1の両面に耐摩耗性のライナーを張って耐久性を確保すると共に、漏風量を極力少なく、又は完全に無くすために以下の構造を採用した。
【００３４】
１６はパレット台車２の進行方向両側下方に位置する前記ウエアーバーサポート７の、パレット台車２の進行方向と平行な内側面に取り付けられた固定ライナーであり、上端面が凹凸に形成されている。
【００３５】
１７は前記固定ライナー１６の上端面に形成した凹凸に嵌合する凹凸を、その下端面に形成した可動ライナーであり、前記ベースプレート１１の裏面の、前記第２の垂直板材１３ｂの外側に取り付けられている。
【００３６】
このように、前記隙間に設置する固定ライナー１６の上端面と可動ライナー１７の下端面を互いに凹凸嵌合させたラビリンス構造とすることで、直線的に風が流通することに比べて流れに抵抗が発生して漏風を減少することができる。
【００３７】
その際、ウエアーバーサポート７の複数箇所にグリス供給口７ａを設け、外面（大気圧側）から前記隙間への定期的なグリスの供給を可能とした場合、上下に可動するシール装置１と、固定されているウエアーバーサポート７の隙間ｄ2（図５（ａ）参照）は、常に充填されたグリスで空気の通り道を遮断しながら、シール装置１の摩耗、損耗への耐久性を高く保ちつつ上下方向の移動が可能となる。
【００３８】
１８ａは前記第１の垂直板材１３ａの内側からウインドボックス受け梁４の前記第１の垂直板材側に設置された固定板８に至る間に張り設けた、表面の大気圧側に粘性のあるペースト状の物質を塗りこんだ布状部材である（図６参照）。
【００３９】
また、１８ｂは前記第２の垂直板材１３ｂの内側から前記両ライナー１６，１７を経てウエアーバーサポート７の側面に至る間に張り設けた、前記布状部材１８ａと同様の布状部材である（図４（ｂ）、図５（ａ）参照）。
【００４０】
これらの布状部材１８ａ，１８ｂでシール装置１を構成する可動部分と固定部分との間に存在する隙間ｄ2，ｄ3に流入しようとする入口を覆うことで、シール性を高めて漏風を完全に遮断することができる。
【００４１】
前記布状部材１８ａ，１８ｂとしては、可撓性を有し、耐熱性があり、擦り切れも少ない、例えばステンレス鋼繊維で織り込まれた布が採用される。取替えを頻繁に行う前提であれば、耐熱性のある断熱クロスを採用しても良い。
【００４２】
また、布状部材１８ａ，１８ｂの表面の大気圧側に塗り込む、粘性のあるペースト状の物質は、例えば耐熱性を持つシリコンシーラントなどのシール材で十分である。耐熱グリスでも良い。可撓性を持続でき、かつ耐熱性を有するペースト状であれば特に限定するものではない。
【００４３】
このペースト状の物質を使用する雰囲気は、大気圧側でかつ焼結鉱などの高温処理物などが搬送されるような雰囲気ではなく、焼結機の機械構造物側の架構内であるので、高温雰囲気としても２００℃を超えないため、市販の材料で十分利用できる。
【００４４】
上記構成の場合、経年変化によりペースト状の物質が劣化してひび割れ等が発生した場合や、布状部材１８ａ，１８ｂが擦り切れて漏風が発生した場合は、下方の点検デッキから容易に補修することができる。
【００４５】
また、前記布状部材１８ａ，１８ｂを一体物とすれば、ウインドボックス側の端面（パレット台車２の進行方向と鉛直な面）とウエアーバーサポート７とシール装置１との隙間（パレット台車２の幅方向両側面）の３面が完全にシールされ、ベースプレート１１の両端からウエアーバーサポート７側の隙間へ風が流入することを防止できる。しかも、その性能維持が容易となる。
【００４６】
以上の構成とした場合、漏風が生じる残る隙間はパレット台車２の下面と摺動するベースプレート１１の面、及びその面の両側のシールバー５との隙間のみとなるので、ベースプレート１１は大気圧側との圧力差を、その板面積全面に直接受けることになる。従って、ベースプレート１１は重錘１４ｂで押し上げる力の数倍の力でパレット台車２の下面に押し付けられるので、密着度が増加して漏風を減少させることができる。その際、面で押し付けられるのでパレット台車２の下面に万遍なく押付け力が働くことになる。更に、摺動面の周囲を伸縮材などで拘束していないので、パレット幅方向端部の密着も可能となる。
【００４７】
また、ペースト状の物質を塗布された布状部材１８ａ，１８ｂを張り設けた垂直面にもその圧力差が直接働くので、可動ライナー１７とウエアーバーサポート７等の金属板材同士も接触するが、さらに前記金属板材の歪による微小隙間も前記布状部材１８ａ，１８ｂで完全にシールしてしまう。
【００４８】
ちなみに、パレット幅３．７m、長さ１．５mのパレット台車２を９０台備えた焼結機のウインドボックス群の給鉱側と排鉱側の、大気圧と隣接しているウインドボックス端部に本発明のシール装置１をそれぞれ１基ずつ配置して操業した。操業時のウインドボックス３の圧力は−１８kPa、 温度は給鉱側で１００℃、 排鉱側で４００℃であった。なお、ベースプレート１１の裏面側は大気に解放されており通気もあるので、雰囲気温度としては１５０℃程度である。
【００４９】
本発明のシール装置１を構成する固定ライナー１６と可動ライナー１７は、直接、ダスト混じりの空気が通過して摩耗が著しいので、表面に硬度の高い硬化肉盛りを施した板材を使用した。
【００５０】
また、ベースプレート１１の表面に張り付けた耐摩耗性ライナーは、図２，図３に示すように、パレット幅方向に複数枚に分割したものを千鳥状に配置して取付けた。耐摩耗性ライナーは、ダスト混じりの高速流れによる摩耗を防止するために、硬化肉盛りを施した鋼板を使用した。
【００５１】
ベースプレート１１のパレット進行方向の長さＬは、パレット台車２のフレーム構造が概ね３本〜４本の梁２ａで構成されており、その内の２本がベースプレート１１上に常に位置することが必要であるが、長い方が流通抵抗が増して漏風が少なくなる。従って、実施例ではベースプレート１１のパレット進行方向の長さＬを１．８m、パレット幅方向の幅Ｂはウエアーバーサポート内側面の間隔に近い３．５m、厚みｔは１０mmとした。ベースプレート１１の厚みｔはパレット台車側の撓み代によって選択でき、その撓み量と幅で決定する。
【００５２】
布状部材１８ａ，１８ｂは、ステンレス鋼繊維の布を使用し、ペースト状の物質は、市販の耐熱シリコンシーラントを用いた。また、隙間に供給するグリスは、２００℃程度の耐熱性を有する耐熱グリスとした。
【００５３】
上記実施例の場合、ベースプレート１１の押し上げ力Ｆは、ベースプレート１１の幅３．５m×長さ１．８m×大気圧とウインドボックス３の圧力（−１８kPa）の圧力差１．８ton／m2＝１１．３tonとなって、１００kgの重錘を６箇所に設けて機械的に押し上げる従来の場合の押し上げ力６００kgと比較して大きな押し付け力が得られる。
【００５４】
そして、その際のベースプレート１１の押し上げ力Ｆは上記実施例ではベースプレート１１の全面で受けるが、従来の場合は重錘の重量が作用する数箇所で押し上げることになる。
【００５５】
従って、パレット台車２の進行方向正面の第１の垂直板材１３ａの押し付け力は、従来の場合は風の流通抵抗程度であるのに対して、上記実施例の場合は、布状部材１８ａの高さを０．３m、幅（ベースプレート１１のパレット幅方向の長さＢ）を３．７m、圧力差を１８MPa、摺動面の僅かな漏風による流路抵抗による損失を０．５とした場合、１．８ MPa×０．３m×３．７m×０．５＝９９９kgとなり、シール面の押付け力は、上方又は進行方向へも数倍以上の押し付け力を発現している。
【００５６】
なお、今回の圧力差による押し上げ方式に、従来技術の重錘による押し上げ機構を併用することも可能である。
【符号の説明】
【００５７】
１    シール装置
２    パレット台車
２ａ    梁
３    ウインドボックス
４    ウインドボックス受け梁
７    ウエアーバーサポート
７ａ    グリス供給口
８    固定板
１１    ベースプレート
１２    耐摩耗性ライナー
１３ａ    第１の垂直板材
１３ｂ    第２の垂直板材
１５    受け部材
１６    固定ライナー
１７    可動ライナー
１８ａ，１８ｂ    布状部材
ｄ1    ウエアーバーサポート７と第２の垂直板材１３ｂとの隙間
ｄ2    固定ライナー１６と可動ライナー１７との隙間
ｄ3    ウインドボックス受け梁４の垂直面と第１の垂直板材１３ａとの隙間
Ｌ    ベースプレート１１のパレット進行方向の長さ
Ｂ    ベースプレート１１のパレット幅方向の長さ
ｔ    ベースプレート１１の厚さ
Ｆ    押し上げ力
【図１】
0005741214.tif 000002
【図２】
0005741214.tif 000003
【図３】
0005741214.tif 000004
【図４】
0005741214.tif 000005
【図５】
0005741214.tif 000006
【図６】
0005741214.tif 000007